(57)【要約】【課題】切り花用給水材としての給水能を発揮することができ、横輸送しても水漏れの恐れがなく、輸送後の洗浄も不要な切り花用給水材、及びそれを用いた切り花の鮮度保持方法を提供する。【解決手段】少なくとも切り花に接する面が透水性膜１１からなる袋１０の内部に、自重の１００倍以上の吸水能力（水道水）を有する吸水性ポリマーからなる吸水体１２が非拘束状態で配されており、前記袋１０が、吸水体１２中の吸水性ポリマーが、自重の１００倍以上の水を吸水して膨張することが可能な容積を有していることを特徴とする切り花用給水材１、及び前記切り花用給水材１の吸水体１０中の吸水性ポリマーに自重の１００倍以上の水を吸水させて含水ゲルを形成させ、透水性膜を介して含水ゲル中の水分を切り花に給水することを特徴とする切り花の鮮度維持方法。【選択図】図２
2019110865.tif 000002
【特許請求の範囲】
【請求項１】
少なくとも切り花に接する面が透水性膜１１からなる袋１０の内部に、自重の１００倍以上の吸水能力（水道水）を有する吸水性ポリマーからなる吸水体１２が非拘束状態で配されており、前記袋１０が、吸水体１２中の吸水性ポリマーが自重の１００倍以上の水を吸水して膨張することが可能な容積を有していることを特徴とする切り花用給水材１。
【請求項２】
袋１０のもう一方の面が非透水性膜１３であることを特徴とする請求項１記載の切り花用給水材１。
【請求項３】
吸水体１２中の吸水性ポリマー含有量が２５重量％以上であることを特徴とする請求項１又は２記載の切り花用給水材１。
【請求項４】
請求項１〜３のいずれかに記載の切り花用給水材１の吸水体１２中の吸水性ポリマーに自重の１００倍以上の水を吸水させて含水ゲルを形成させ、透水性膜を介して含水ゲル中の水分を切り花に給水することを特徴とする切り花の鮮度維持方法。
【発明の詳細な説明】
【技術分野】
【０００１】
本発明は切り花の輸送に際して、切り花の鮮度保持に好適な、特に、段ボール箱等に切り花を寝かして輸送する場合でも、水漏れすることなく切り花に給水することが可能で、しかも輸送後の取り扱いも簡単な切り花用給水材及びそれを用いた切り花の鮮度保持方法に関するものである。
【背景技術】
【０００２】
従来、切り花は、段ボール箱に寝かせた状態で梱包して水を供給することなく輸送（以下、「乾式・横輸送」という。）するのが一般的であった。この方式は荷扱いが便利であり、段積みも行え、輸送費、保管費が安く付くなどの利点があるものの、切り花に水分を供給できないため保管や輸送に長時間を要する場合は、切り花が水分不足により萎れてしまい、鮮度が低下してしまうという問題があった。
【０００３】
このようなことから、近年、水の入った容器（バケツ）に束にした切り花の切り口側を入れ、その切り花を立てたままで輸送（以下、「湿式・縦輸送」という。）する方法が普及しつつある。この方式は乾式・横輸送の場合とは異なり、生産地から店頭に至るまで給水することができるので切り花を鮮度の高い状態で流通でき、花もち期間の長い切り花を供給できるという利点を有している。そして、湿式・縦輸送における輸送中に容器から水が漏れるという欠点については、周壁に折り幅を長短交互に連続させたプリーツを多数形成させるとともに、開口部の近傍の周壁内面に吸水膨張性樹脂の帯体を周方向に設けた保水袋を具備した植物の鮮度保持包装（特許文献１）や本体部に収容した水または栄養液がその挿入口から漏れないように水漏れを防止できる切花用逆流防止付保水袋（特許文献２）などの対策が提案されている。
【０００４】
さらに、水の入った容器を使うことなく切り花に給水することが可能な種々の給水材が提案されている。例えば、特許文献３には、平均繊維長１．５ｍｍ以下のセルローズ繊維を主体とした繊維集合体に、該集合体の自重の３〜５０倍の水を主成分とする含浸液を加えた切花等の鮮度保持材が提案されており、この鮮度保持材は、ある程度自立性をもった成形状態を維持し、特に圧縮しない限り水が滲み出すことのない泥状物となるので、これをポリエチレン袋に収納したときには、その袋を結束した上で横に寝かせたとしても水分が外部に滴り落ちることがない、すなわち横輸送も可能であることが記載されている。
【０００５】
一方、自身の重量の１０倍以上の水を吸水することができる吸水性ポリマーを使用することも提案されており、例えば、特許文献４には特定のハイドロゲル形成性の高分子を使用することにより、従来のハイドロゲル形成性の高分子のように切り花の生育或いは鮮度保持に悪影響を及ぼし、それが原因で切り花を枯らすことのない良好な保水能を有する切り花用保水剤および保水材が提案されている。また、特許文献５には、高吸水性ポリマーの保水層が粘着剤で袋の内面に貼着された切り花用保水袋が、特許文献６には親水性の不織布に高分子吸水体の粒子を散布し、その上に親水性の不織布を積層し、エンボスカレンダー又はフラットカレンダーで加熱処理した鮮度保持シートが提案されており、特許文献７には、不織布、織布、紙、多孔質体、ネット状物、フィルム、シートから選ばれる基材に高吸水性樹脂が付着一体化されてなる保水層と、軟質多孔質体、半硬質多孔質体、繊維状物積層体からなる群から選ばれる親水層が積層された鮮度保持材が提案されている。
【０００６】
更に、上述した給水材の形状についても、例えば、特許文献８、９には防水性フィルムと不織布とで形成される空間（袋状部）に吸収性シート（又は保水体）を配した切り花用給水袋が提案されている。
【先行技術文献】
【特許文献】
【０００７】
【特許文献１】特開平５−１９３６８７号公報
【特許文献２】特開２００３−１１６３４６号公報
【特許文献３】特開２００２−６８９０１号公報
【特許文献４】特開２０００−３２４９４８号公報
【特許文献５】特開平８−８０９７６号公報
【特許文献６】実開平７−２４９０３号公報
【特許文献７】特開２０００−２７０７６４号公報
【特許文献８】特開２０００−１０５９７３号公報
【特許文献９】特開２０１１−１６５７６号公報
【発明の概要】
【発明が解決しようとする課題】
【０００８】
切り花の鮮度保持には湿式輸送が望ましいにもかかわらずあまり普及していないのは、荷扱いが便利であり、段積みも行え、輸送費、保管費が安く付く横輸送には湿式輸送が水漏れのため適用できず、もっぱら湿式輸送が縦輸送に限られていることに起因している。そして、特許文献１、２の容器であっても横輸送に耐えられるものではなく、また、特許文献３のセルローズ繊維を主体とした繊維集合体は給水材としては優れているものの、圧縮によって水が滲み出るものであるから、横輸送時の水漏れを完全に防止することはできないという問題があった。
【０００９】
一方、吸水性ポリマーに吸水させて形成される含水ゲルは、吸水能力の限度を超える過剰の水を加えない限り圧縮によっても水漏れの恐れがないという特徴を有しているため特許文献４〜７等各方面で検討されている。しかしながら、特許文献４のように単に吸水性ポリマーを使用してハイドロゲル（含水ゲル）中に切り花を挿入した場合は、輸送終了後に切り花に付着した含水ゲルを洗浄除去する必要があり、また洗浄水の処理という問題もあって実用的ではなかった。また、含水ゲルが切り花に付着しないように吸水性ポリマーを固定した特許文献５、６、７の切り花用保水袋や鮮度保持シートは、吸水性ポリマーが袋の内面や基材に固定拘束されているため、吸水性ポリマーが本来有している吸水能力（水道水）よりもはるかに少ないレベルの吸水しかできないという問題があった。そして、吸水性ポリマーが有している吸水能力（水道水）よりもはるかに少ない吸水量によって形成された含水ゲルでは切り花に給水するよりも、むしろ切り花の水分を奪うので切り花の鮮度が低下するといった問題があった。特許文献８、９には吸水シート（又は保水体）を防水性フィルムと不織布とで形成される空間（袋状部）に非拘束状態で配することが記載されているものの多量に吸水して膨張することを想定するものではなく、切り花への含水ゲルからの給水を示唆するものでもなかった。
【００１０】
本発明は、切り花用給水材としての給水能を発揮することができ、横輸送しても水漏れの恐れがなく、輸送後の洗浄も不要な切り花用給水材、及びそれを用いた切り花の鮮度保持方法を提供することを目的とする。
【課題を解決するための手段】
【００１１】
本発明者は鋭意検討した結果、吸水性ポリマーに自重の１００倍以上の水を加えて形成した含水ゲルは圧縮しても水漏れの恐れがないばかりか、切り花への給水性にも優れていることを見いだし、本発明にいたった。
すなわち、本発明によれば、上記課題を解決するための手段として、
［１］少なくとも切り花に接する面が透水性膜１１からなる袋１０の内部に、自重の１００倍以上の吸水能力（水道水）を有する吸水性ポリマーからなる吸水体１２が非拘束状態で配されており、前記袋１０が、吸水体１２中の吸水性ポリマーが、自重の１００倍以上の水を吸水して膨張することが可能な容積を有していることを特徴とする切り花用給水材１が提供され、
［２］袋１０のもう一方の面が非透水性膜１３であることを特徴とする［１］記載の切り花用給水材１が提供され、
［３］吸水体１２中の吸水性ポリマー含有量が２５重量％以上であることを特徴とする［１］又は［２］記載の切り花用給水材１が提供され、
［４］［１］〜［３］のいずれかに記載の切り花用給水材１の吸水体１２中の吸水性ポリマーに自重の１００倍以上の水を吸水させて含水ゲルを形成させ、透水性膜を介して含水ゲル中の水分を切り花に給水することを特徴とする切り花の鮮度維持方法が提供される。
【発明の効果】
【００１２】
本発明の切り花用給水材１は、含水ゲルが直接切り花に接するのではなく透水性膜１１を介して含水ゲルから切り花に水を給水する構造となっているので、切り花を輸送後に洗浄する必要がないという利点を有している。また、吸水体１２が、袋１０の内部に非拘束状態で配されているので、吸水して自由に膨張することができる。しかも、吸水体１２が自重の１００倍以上の吸水能力（水道水）を有する吸水性ポリマーからなり、袋１０が、吸水性ポリマーが自重の１００倍以上の水を吸水して膨張することが可能な容積を有しているので、吸水性ポリマーは十分に吸水して切り花への優れた給水能を有する含水ゲルを形成することができるという効果を有している。
【図面の簡単な説明】
【００１３】
【図１】本発明の切り花用給水材１の一例を示す断面説明図である。
【図２】本発明の切り花用給水材１の他の一例を示す断面説明図である。
【図３】本発明の切り花用給水材１のその他の一例を示す断面説明図である。
【発明を実施するための形態】
【００１４】
本発明で使用する透水性膜１１としては、透水性を有しており、かつ吸水体１２（吸水前後のいずれの場合も含む。）が袋１０の外に漏れないものであれば特に制限はないが、例えば、ポリエチレンやポリプロピレン等のポリオレフィン系、ポリエステル系、ポリアミド系の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工した不織布や、天然繊維や合成繊維からなる織布、或いはポリエチレンフィルム、ポリプロピレンフィルム、ナイロンフィルム、ポリエステルフィルム或いはこれらを適宜積層したラミネートフィルムに穴あけ加工を施した多孔フィルムやメッシュフィルムなどが好適に使用できる。本発明においては、これらの中でも安価で十分な強度と優れた透水性を有する不織布が好ましく使用される。特に、レーヨンやキュプラ等の再生繊維、綿等を素材として全部または一部使用した不織布や親水化処理を施した、親水性を有する不織布を使用するのが好ましい。
【００１５】
本発明における吸水体１２は、吸水性ポリマーからなるものであり、吸水性ポリマーに水を加えて含水ゲル形成することにより、含水ゲルが保持する水を上述した透水性膜１１を介して切り花に給水する機能を有するものである。
吸水性ポリマーとしては、自重の１００倍以上、好ましくは１５０倍以上の吸水能力（水道水）を有する必要があり、このような条件を満たすものであれば特に制限はないが、合成高分子系の吸水性ポリマーであるポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等の中から上記性能を有するものを選ぶのが好ましく、特に、ポリアクリル酸ナトリウムで代表されるアクリル酸塩系の吸水性ポリマーのなかから選択するのが好ましい。さらに、本発明においては、その中でも切り花に対する給水能の優れた、吸水速度が比較的遅い（例えば、吸水速度が５分以上）吸水性ポリマーを使用するのが好ましい。
【００１６】
本発明で使用する吸水体１２は、上述した吸水性ポリマーのみで構成することも可能であるが、例えば、吸水性ポリマーにその他の吸水材を併用することも可能である。その他の吸水材としては木材から得られる化学パルプ、溶融パルプ等や、レーヨン、アセテート等の人工セルロース繊維からなるパルプが挙げられる。吸水性ポリマーとその他の吸水材の比率は、吸水体１２中の吸水性ポリマーの含有量を２５重量％以上、更には４０重量％以上とするのが好ましい。吸水性ポリマーに比べてその他の吸水材の使用割合が多すぎると圧縮時に水が滲み出て、水漏れの原因となる可能性が生じる。また、吸水体１２には必要に応じて切り花用の鮮度保持材、殺菌剤等を含有させることもできる。
【００１７】
また、本発明においては、吸水性ポリマー（通常は粒子状をしている。）、或いは吸水性ポリマーとその他の吸水材とを混合したものを成形することなくそのまま吸水体１２とすることも可能であるが、シート状の吸水体１２とするのが取り扱い性や計量性の点で特に好ましい。シート状の吸水体１２を製造する方法としては、特に制限はないが、例えば、ティッシュペーパー上に吸水性ポリマー或いは吸水性ポリマーとパルプとを所定量積繊した後、上部をティッシュペーパーで被覆してプレスしてシート化する方法があげられる。
【００１８】
さて、本発明の切り花用給水材１は、吸水体１２が少なくとも切り花に接する面が透水性膜１１からなる袋１０の内部に非拘束状態で配されており、しかも当該袋１０が、吸水体１２中の吸水性ポリマーが自重の１００倍以上の水を吸水して膨張可能な容積を有していることを特徴とするものである。また、本発明の切り花用給水材１の形状としては両面が透水性膜１１からなる平袋（図１）、片面が透水性膜１１、他面が非透水性膜１３からななる平袋（図２）、非透水性膜１３からなる袋の内面に透水性膜１１と前記非透水性膜１３からなる袋１０を形成した二重袋（図３）としたもの等が挙げられるが特に制限はない。なお、非透水性膜１３としては特に制限はなく、包装材として使用されるポリエチレンフィルム、ポリプロピレンフィルムなどの合成樹脂フィルムが好ましく使用される。また、非拘束状態とは、袋１０のいずれの面にも固着することなく、袋１０内を自由に移動できる、すなわち吸水して縦・横・高さのいずれの方向にも膨張可能な状態にあることを意味している。
【００１９】
そして、袋１０は、吸水体１２中の吸水性ポリマーが自重の１００倍以上、好ましくは１５０倍以上まで膨張可能な容積を有している必要がある。この容積が１００倍未満の場合は、吸水性ポリマーが容積分の水（１００倍未満の水）しか吸水できないので、形成された含水ゲルが、切り花に給水するよりもむしろ切り花中の水分を奪う傾向となるので好ましくない。なお、袋１０の最大容積は、袋１０の横寸法をａ、縦寸法をｂ（単位：ｃｍ、ｂ≧ａとする。）とした場合、円周長が２ａの円柱状となったときであると見なして計算した。
円柱の半径ｒは２πｒ＝２ａからｒ＝ａ／π、円柱の高さｈは、袋１０の長辺の両端が円柱の半径分だけ折れ込んで円柱の底部を形成することになるから、ｈ＝ｂ−２ｒ、
したがって容積Ｖ（ｃｍ３）は
Ｖ＝π×ｒ２×ｈ＝π×（ａ／π）２×（ｂ−２ａ／π）＝ａ２ｂ／π−２ａ３／π２
として計算した。
【００２０】
本発明の切り花用給水材１の使用方法としては、例えば、（１）表面が透水性膜１１、裏面が非透水性膜１３とした平袋１０の内部に吸水性ポリマー単独、又はシート状の吸水体１２を入れた形状の切り花用給水材１（図２参照）の場合は、水（水道水、場合によっては各種鮮度保持材や殺菌剤を配合した水）を入れた容器に切り花用給水材１を投入して十分に吸水させて含水ゲルを形成させた後、切り花用給水材１を容器から取り出し、切り花の切り口に透水性膜１１の面が密着するように巻き付けるか、押し付けた状態で段ボール等のケースに詰めて輸送に供する。
【００２１】
また、（２）非透水性膜１３の袋２の内面に、切り花側が透水性膜１１となるような袋１０を形成し、袋１０の内部に吸水性ポリマー単独、又はシート状の吸水体１２を入れた形状の切り花用給水材１（図３参照）の場合は、袋２の中に吸水体１２の吸水能力未満の水（水道水、場合によっては各種鮮度保持材や殺菌剤を配合した水）を入れて袋１０内に含水ゲルを形成させ、切り花の切り口が透水性膜に接するように切り花を袋２に挿入する（切り花の挿入は水を入れる前であってももちろん可能である）。しかる後に、袋２の開口部を閉じる又は水漏れの恐れがないので閉じずに段ボール箱等のケースに詰めて輸送に供する。
【実施例】
【００２２】
[測定方法]
・吸水性ポリマーの吸水能力（水道水）、吸水速度の測定
容器に５０ｇ（ｍｌ）の水道水を入れ、そこに１．０ｇの吸水性ポリマーを投入して吸水性ポリマーが吸水して全体がゲル化（容器を傾けても流動しない状態）するかどうかを観察する。このような試験を、水道水を１００ｇ、１５０ｇと５０ｇ刻みで増加させ、ゲル化可能な最大の水道水量（ｇ）を吸水能力（水道水）（倍）とした。また、吸水速度は、１００ｇ（ｍｌ）の水道水を入れた場合のゲル化までに要する時間を測定して、その時間（分）で評価した。
・吸水性ポリマーの吸水量、吸水倍率
吸水体１２中の吸水性ポリマーが自重の１００倍以上の吸水能力を持っているのに対して、その他の吸水材、例えばパルプの吸水能力は１０倍程度であることから、切り花用給水材１の吸水量（吸水による重量増加（ｇ））は他の吸水材は無視して全て吸水性ポリマーの吸水によるものとして計算した。したがって、吸水体１２中の吸水性ポリマーが、自重の何倍の水を吸水したか（吸水倍率）は
吸水倍率（倍）＝吸水量（ｇ）／吸水体中の吸水性ポリマーの量（ｇ）
で計算した。さらに、吸水体１２の吸水後の体積は、吸水性ポリマーが自重の１００倍以上の水を吸水した時点で、吸水体１２の成分のほぼ９９％が水であり、水の密度は１．０ｃｍ３であるから、吸水量Ｘｇ＝膨張した時の体積Ｘｃｍ３と近似できるとして取り扱った。
【００２３】
［吸水性ポリマー］
本発明の実施例、比較例においては吸水性ポリマー（ポリアクリル酸ナトリウム部分架橋物、吸水能力（水道水）：３００倍、吸水速度：８分）を使用した。
【００２４】
［実施例１〜３、比較例１］
表面が不織布（材質：ポリエチレン、ポリプロピレン、レーヨン、目付：１６ｇ／ｍ２、親水性を有する）、裏面がポリプロピレンフィルム（厚さ：１２μｍ）からなる、内寸で縦×横が１０ｃｍ×１０ｃｍの袋（計算上の容積は、１１６ｃｍ３）の内部に表１で示す量の吸水性ポリマー（粒状）を配して切り花用給水材とした。得られた切り花用給水材を、水道水を入れたバケツに投入して吸水させた後、取り出して吸水量、吸水倍率を測定した。次いで吸水した切り花用給水材の透水性膜面が切り花（菊を使用した）の切り口に当たるように上下を挟んだ状態で横置きにして段ボール箱に詰め、４８時間経過後の水漏れと、切り花の状態を目視で観察して鮮度保持効果を測定した。結果を同じく表１に示す。
【００２５】
水漏れの評価基準は
○：水漏れなし
×：水漏れが見られた
鮮度保持効果の評価基準は、
◎：全く変化なし
〇：花は全く異常ないが、葉の先端が少し萎れた
△：花は全く異常ないが、葉が萎れた
×：花も葉も萎れてしまった
【００２６】
【表１】
2019110865.tif 000003
【００２７】
表1からも明らかなように、本発明にかかる実施例１の切り花用給水材は、吸水体を構成する吸水性ポリマーの使用量が少ないため、吸水能力の上限（３００倍）まで吸水して膨張することが可能であった。また、３００倍の吸水倍率で形成された含水ゲルは水漏れを起こすことなく優れた鮮度保持効果を示した。また、本発明にかかる実施例２、３の切り花給水材の場合は、袋１０の最大容積が１１６ｃｍ３であるため、吸水体の吸水能力以下の吸水倍率で袋１０が一杯になってしまいそれ以上吸水することができなかったが、いずれも吸水性ポリマーの自重の１００倍以上の水を吸水しているので切り花への給水性が十分あり優れた鮮度保持効果を示した。また、水漏れは見られなかった。一方、比較例１の切り花用給水材は、吸水体を構成する吸水性ポリマーの８８倍の水を吸水したところで袋が一杯になってそれ以上吸水させることができなかった。そして、この場合は、水漏れはなかったものの切り花の葉の部分が萎れてしまい給水されないためか鮮度維持効果が十分とは言えなかった。
【００２８】
［製造例１］
ティッシュペーパー上に、粉砕木材パルプ（目付：８０ｇ／ｍ２）と吸水性ポリマー（目付：８０ｇ／ｍ２）とを所定量積繊し、次いで上部をティッシュペーパーで被覆した後、上面がエンボス模様であるプレス盤を用いてプレスしてシート状に形成した。得られたシートを所定の寸法に切断して本実施例、比較例で使用する吸水体とした。
【００２９】
［実施例４］
製造例１で製造されたシートを縦横が各々６０ｍｍの正方形に切断して吸水体（吸水性ポリマー量＝６×６×８０／１００００＝０．２８８ｇ）とした。この吸水体を実施例１と同様の袋の中に封入して、本発明にかかる切り花用給水材を得た。得られた切り花用給水材を実施例１と同様な試験に供したところ、吸水量８６ｇ（吸水倍率：３００倍）と吸水性ポリマーの限度いっぱいまで吸水することができた。また、保管中の水漏れはなく(○)、鮮度保持効果も◎であった。
【００３０】
［実施例５］
ポリエチレンフィルム（厚さ：２０μｍ）のからなる袋２の内面の一方の面に表面を不織布（材質：ポリエチレン、ポリプロピレン、レーヨン、目付：１６ｇ／ｍ２、親水性を有する）、裏面が前記ポリエチレンフィルムとする袋１０（１３ｃｍ×１０ｃｍ、）を形成し、当該袋１０中に吸水体（製造例１で製造されたシートを縦横が８ｃｍ×８ｃｍ（吸水体中の吸水性ポリマー量＝８×８×８０／１００００＝０．５１２ｇ）に切断して作成した。）を非拘束状態で配して、本発明の切り花用給水材を得た（図３参照）。得られた切り花用給水材に切り花を差し込み、水１５０ｇ（ｍｌ）を入れたところ全ての水を吸水体が吸水して不織布部分が切り花に接するまで膨張した。この時の吸水量は１５０ｇであり、吸水倍率は約２９０倍であった。袋２の開口部をそのままにして横置きで段ボール箱に詰め、４８時間経過後の水漏れと、切り花の状態を目視で観察して鮮度保持効果を測定した。保管中の水漏れはなく(○)、鮮度保持効果も◎であった。
【産業上の利用可能性】
【００３１】
本発明によって、従来困難であった切り花の湿式・横輸送を、水漏れの心配をすることなく行うことが可能になった。また、輸送前後の取り扱い性が良好で、後洗浄等の必要もないので切り花の日持ちを長くしながら安価な輸送が可能になった。また、吸水体１２をシート状にすることによって、高価な吸水性ポリマーを微量であっても精度よく取り分けることが可能となったので経済的にも極めて有利である。
【符号の説明】
【００３２】
１          本発明の切り花用給水材
１１        透水性膜          
１２        吸水体
１３        非透水性膜
１０        吸水体を収納する袋
２          非透水性膜からなる袋
【図１】
2019110865.tif 000004
【図２】
2019110865.tif 000005
【図３】
2019110865.tif 000006